(57)【特許請求の範囲】
【請求項１】
移動局装置に対して第１の接続サービス、又は、前記第１の接続サービスよりサービス品質が低い第２の接続サービスのいずれかを提供する第１の基地局装置を少なくとも１つ含む複数の基地局装置と、前記基地局装置と通信を行う移動局装置と、を具備する通信システムにおいて、
前記移動局装置は、
予め定められた周波数帯域毎に、前記周波数帯域を用いる基地局装置へ接続する優先度を記憶する優先度記憶部と、
前記第１の基地局装置から受信した識別情報に基づいて、前記第１の基地局装置各々から前記第１の接続サービス又は前記第２の接続サービスのいずれかの提供を受けるかを選択するサービス種別決定部と、
前記サービス種別決定部が選択した接続サービスの種類に基づいて前記第１の基地局装置が用いる前記周波数帯域毎の優先度を決定し、決定した優先度で前記優先度記憶部が記憶する優先度を更新する優先度決定部と、
前記優先度決定部が更新した優先度と、前記基地局装置各々からの前記周波数帯域毎の受信信号の受信レベルと、に基づいて、接続する基地局装置を選択する選択評価部と、
を備えることを特徴とする通信システム。
【請求項２】
前記優先度決定部は、前記サービス種別決定部が前記第１の接続サービスの提供を受けることを選択した第１の基地局装置が用いる前記周波数帯域毎の優先度を、最も高い優先度に決定することを特徴とする請求項１に記載の通信システム。
【請求項３】
前記優先度記憶部が記憶する優先度は、前記基地局装置から受信した優先度であり、
前記優先度決定部は、前記サービス種別決定部が前記第２の接続サービスの提供を受けることを選択した第１の基地局装置が用いる前記周波数帯域毎の優先度を、前記基地局装置から受信した優先度に決定することを特徴とする請求項１又は２に記載の通信システム。
【請求項４】
前記基地局装置は、
前記移動局装置が優先度を更新するか否かを示す優先度制御情報であって前記移動局装置に送信する優先度制御情報を生成する優先度制御情報生成部を備え、
優先度決定部は、前記基地局装置から受信した優先度制御情報が優先度を更新することを示す場合に優先度を更新し、優先度制御情報が優先度を更新しないことを示す場合に優先度を更新しないことを特徴とする請求項１に記載の通信システム。
【請求項５】
前記複数の基地局装置は、移動局装置に対して前記第１の接続サービスのみを提供する第２の基地局装置を少なくとも１つ含み、
前記優先度決定部は、前記サービス種別決定部が前記第１の接続サービスの提供を受けることを選択した第１の基地局装置が用いる前記周波数帯域毎の優先度を、前記第２の基地局装置が用いる前記周波数帯域毎の優先度より低い優先度に決定することを特徴とする請求項１に記載の通信システム。
【請求項６】
前記優先度決定部は、接続している前記第１の基地局装置であって前記第１の接続サービスの提供を受けている第１の基地局装置が用いる前記周波数帯域毎の優先度を、最も高い優先度に決定することを特徴とする請求項１に記載の通信システム。
【請求項７】
前記複数の基地局装置は移動局装置に対して前記第１の接続サービスのみを提供する第２の基地局装置を少なくとも１つ含み、
前記優先度決定部は、接続している前記第１の基地局装置であって前記第１の接続サービスの提供を受けている第１の基地局装置が用いる前記周波数帯域毎の優先度を、前記第２の基地局装置が用いる前記周波数帯域毎の優先度より低い優先度に決定することを特徴とする請求項１に記載の通信システム。
【請求項８】
前記複数の基地局装置は移動局装置に対して前記第１の接続サービスのみを提供する第２の基地局装置を少なくとも１つ含み、
前記優先度決定部は、接続している前記第１の基地局装置であって前記第１の接続サービスの提供を受けている第１の基地局装置が用いる前記周波数帯域毎の優先度を、前記第２の基地局装置が用いる前記周波数帯域毎の優先度と同じ優先度に決定することを特徴とする請求項１に記載の通信システム。
【請求項９】
前記選択評価部は、
評価対象の周波数帯域の優先度が接続している前記基地局装置が用いる周波数帯域の優先度より高いとき、前記評価対象の周波数帯域での前記受信レベルが予め定められた閾値より高い場合、前記評価対象の周波数帯域を用いる基地局装置を、接続する基地局装置として選択し、
評価対象の周波数帯域の優先度が接続している前記基地局装置が用いる周波数帯域の優先度と同じとき、前記評価対象の周波数帯域での前記受信レベルが接続している前記基地局装置が用いる周波数帯域での前記受信レベルより高い場合、前記評価対象の周波数帯域を用いる基地局装置を、接続する基地局装置として選択し、
評価対象の周波数帯域の優先度が接続している前記基地局装置が用いる周波数帯域の優先度より低いとき、前記評価対象の周波数帯域での前記受信レベルが予め定めた閾値より高く、接続している前記基地局装置が用いる周波数帯域での前記受信レベルが予め定めた閾値より低い場合、前記評価対象の周波数帯域を用いる基地局装置を、接続する基地局装置として選択することを特徴とする請求項１に記載の通信システム。
【請求項１０】
移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置において、
予め定められた周波数帯域毎に、前記周波数帯域を用いる基地局装置へ接続する優先度を記憶する優先度記憶部と、
前記第１の基地局装置から受信した識別情報に基づいて、前記第１の基地局装置各々から前記第１の接続サービス又は前記第２の接続サービスのいずれかの提供を受けるかを選択するサービス種別決定部と、
前記サービス種別決定部が選択した接続サービスの種類に基づいて前記第１の基地局装置が用いる前記周波数帯域毎の優先度を決定し、決定した優先度で前記優先度記憶部が記憶する優先度を更新する優先度決定部と、
前記優先度決定部が更新した優先度と、前記基地局装置各々からの前記周波数帯域毎の受信信号の受信レベルと、に基づいて、接続する基地局装置を選択する選択評価部と、
を備えることを特徴とする移動局装置。
【請求項１１】
移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置における接続先評価方法において、
前記移動局装置は、予め定められた周波数帯域毎に、前記周波数帯域を用いる基地局装置へ接続する優先度を記憶する優先度記憶部を備え、
サービス種別決定部が、前記第１の基地局装置から受信した識別情報に基づいて、前記第１の基地局装置各々から前記第１の接続サービス又は前記第２の接続サービスのいずれかの提供を受けるかを選択するサービス種別決定過程と、
優先度決定部が、前記サービス種別決定過程にて選択した接続サービスの種類に基づいて前記第１の基地局装置が用いる前記周波数帯域毎の優先度を決定し、決定した優先度で前記優先度記憶部が記憶する優先度を更新する優先度決定過程と、
選択評価部が、前記優先度決定手段にて更新した優先度と、前記基地局装置各々からの前記周波数帯域毎の受信信号の受信レベルと、に基づいて、接続する基地局装置を選択する選択評価過程と、
を有することを特徴とする接続先評価方法。
【請求項１２】
移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置であって、予め定められた周波数帯域毎に、前記周波数帯域を用いる基地局装置へ接続する優先度を記憶する優先度記憶部を備える移動局装置のコンピュータを、
前記第１の基地局装置から受信した識別情報に基づいて、前記第１の基地局装置各々から前記第１の接続サービス又は前記第２の接続サービスのいずれかの提供を受けるかを選択するサービス種別決定手段、
前記サービス種別決定手段にて選択した接続サービスの種類に基づいて前記第１の基地局装置が用いる前記周波数帯域毎の優先度を決定し、決定した優先度で前記優先度記憶部が記憶する優先度を更新する優先度決定手段、
前記優先度決定手段にて更新した優先度と、前記基地局装置各々からの前記周波数帯域毎の受信信号の受信レベルと、に基づいて、接続する基地局装置を選択する選択評価手段、
として機能させる接続先評価プログラム。
【請求項１３】
移動局装置に対して第１の接続サービス、又は、前記第１の接続サービスよりサービス品質が低い第２の接続サービスのいずれかを提供する基地局装置において、
予め定められた周波数帯域毎に、前記周波数帯域を用いる基地局装置へ接続する優先度を、前記移動局装置が更新するか否かを示す優先度制御情報であって前記移動局装置に送信する優先度制御情報を生成する優先度制御情報生成部
を備え、
前記優先度は、前記移動局装置が、前記第１の接続サービス又は前記第２の接続サービスから選択した接続サービスの種類に基づいて決定する優先度であることを特徴とする基地局装置。
【発明の詳細な説明】
【技術分野】
【０００１】
本発明は、通信システム、移動局装置、接続先評価方法、接続先評価プログラム、及び基地局装置に関する。
本願は、２００９年８月７日に、日本に出願された特願２００９−１８４３６５号に基づき優先権を主張し、その内容をここに援用する。
【背景技術】
【０００２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）、ＬＴＥ（Ｌｏｎｇ  Ｔｅｒｍ  Ｅｖｏｌｕｔｉｏｎ；（第３世代の）長期進化）、ＬＴＥ−Ａ（ＬＴＥ−Ａｄｖａｎｃｅ；ＬＴＥの発展）おいて、サービスエリアの拡張、個人使用等を目的に、小型の無線基地局Ｈｏｍｅ（ｅ）ＮｏｄｅＢ（ホーム・イー・ノード・ビー）を導入することが検討されている。Ｈｏｍｅ（ｅ）ＮｏｄｅＢによって提供されるセルの種別には、全ユーザが接続することが可能な通常セル、特定のユーザのみ接続することを許容するＣＳＧ（Ｃｌｏｓｅｄ  Ｓｕｂｓｃｒｉｂｅｒ  Ｇｒｏｕｐ；シー・エス・ジー）セル、一部のユーザ（移動局装置）はＣＳＧセルとして接続してその他ユーザは通常セルとして接続するハイブリッド（Ｈｙｂｒｉｄ）セルがある。現在、３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）において標準化が進められている。【０００３】
非特許文献１の８章には、ＣＳＧセルに関して記載されている。また、非特許文献２には、ハイブリッドセルに関して記載されている。
具体的に、非特許文献２には、移動局装置がハイブリッドセルをＣＳＧセルとして接続するか、通常セルとして接続するか、つまり、どちらのセルの接続サービスを選択するか、は以下のステップで決まることが記載されている。
ハイブリッドセルの基地局装置から報知されているシステム情報（Ｓｙｓｔｅｍ  ｉｎｆｏｒｍａｔｉｏｎ）内のＣＳＧ識別子（ＣＳＧ  ｉｄｅｎｔｉｔｙ；ＣＳＧ  ＩＤ）を取得する（ステップ１）。移動局装置が記憶している許可ＣＳＧリスト（ａｌｌｏｗｅｄ  ＣＳＧ  ｌｉｓｔ）内に受信したＣＳＧ識別子が含まれるかを確認する（ステップ２）。許可ＣＳＧリストにＣＳＧ識別子が含まれる場合、そのハイブリッドセルをＣＳＧセルとして接続する。許可ＣＳＧリストに含まれない、またはＣＳＧをサポートしない移動局装置の場合、そのハイブリッドセルを通常セルとして接続する。【０００４】
一方、非特許文献３には、移動局装置が使用する変数のうち、ネットワークから基地局装置を介して通知されるものが定義されている。
例えば、ＬＴＥではサービス周波数ごとにセル再選択優先度(ｃｅｌｌ  Ｒｅｓｅｌｅｃｔｉｏｎ  Ｐｒｉｏｒｉｔｙ)を持ち、この優先度はセル再選択評価（Ｃｅｌｌ  ｒｅｓｅｌｅｃｔｉｏｎ  ｅｖａｌｕａｔｉｏｎ）時に使用される。ここで、セル再選択優先度は、値が０〜７の範囲で設定され、値が大きいほど優先度が高いことを示す。なお、セル再選択優先度はシステム情報でセル内に報知される。【０００５】
また、非特許文献４の５．２章では、ＬＴＥのセル再選択評価について、次の（Ｄ１）〜（Ｄ３）の場合に分けて定義されている。
（Ｄ１）セル再選択評価を行うセル（評価セルという）のセル再選択優先度が、在圏しているセル（在圏セルという）のセル再選択優先度より大きい場合、評価セルの受信レベル(ＳｎｏｎＳｅｒｖｉｎｇＣｅｌｌ，ｘ)がある時間(ＴｒｅｓｅｌｅｃｔｉｏｎＲＡＴ)継続して閾値(Ｔｈｒｅｓｈｘ，ｈｉｇｈ)より高い場合に評価セルに移行する。
（Ｄ２）評価セルのセル再選択優先度が、在圏セルのセル再選択優先度と等しい場合、受信レベルに応じてセルのランク付けを行い、評価セルのランクが在圏セルのランクより高い状態をある時間(ＴｒｅｓｅｌｅｃｔｉｏｎＲＡＴ)継続した場合に評価セルに移行する。
（Ｄ３）評価セルのセル再選択優先度が、在圏セルのセル再選択優先度より小さい場合、在圏セルの受信レベル(ＳＳｅｒｖｉｎｇＣｅｌｌ)がある閾値(Ｔｈｒｅｓｈｓｅｒｖｉｎｇ,ｌｏｗ)より低く、かつ、評価セルの受信レベル(ＳｎｏｎＳｅｒｖｉｎｇＣｅｌｌ，ｘ)が別の閾値(Ｔｈｒｅｓｈｘ，ｌｏｗ)よりも高い状態をある時間(ＴｒｅｓｅｌｅｃｔｉｏｎＲＡＴ)継続した場合に評価セルに移行する。【０００６】
上記のＬＴＥのセル再選択評価の定義は、上記（Ｄ１）の場合に評価セルの受信レベルのみでセル移行の判断が行われるのに対して、上記（Ｄ２）の場合に評価セルが在圏セルの受信レベルを上回る、上記（Ｄ３）の場合に評価セル、在圏セルの両方がある基準を満たすことを示す。つまり、セル再選択優先度が低くなるほどセル移行の条件(Ｃｅｌｌ ｒｅｓｅｌｅｃｔｉｏｎ ｃｒｉｔｅｒｉａ)が厳しくなるため、移動局装置は、セル再選択優先度がより高いセルを優先して選択するようにシステムが構成されている。【０００７】
また、上記に加え、移動局装置が、通知されたセル再選択優先度とは異なるセル再選択優先度を、ＣＳＧセルに対して決定することが定義されている（Ｉｍｐｌｉｃｉｔ  ｐｒｉｏｒｉｔｙ）。この定義では、ある周波数でＣＳＧセルの受信レベルが最も高い場合、その周波数のセル再選択優先度は、最も高い値を持つものとする。また、在圏セルがＣＳＧである場合、その周波数のセル再選択優先度は最も高い値を持つものとする。
【先行技術文献】
【非特許文献】
【０００８】
【非特許文献１】３ＧＰＰ  ＴＳ  ２２．０１１  ｖ８．５．０：”Ｓｅｒｖｉｃｅ  ａｃｃｅｓｓｉｂｉｌｉｔｙ”
【非特許文献２】３ＧＰＰ  ＲＡＮ２＃６６  Ｒ２−０９２７２１：”Ｄｒａｆｔ  Ｒｅｐｏｒｔ  ｏｆ  ３ＧＰＰ  ＲＡＮ  ＷＧ２  ｍｅｅｔｉｎｇ  ＃６５ｂｉｓ”
【非特許文献３】３ＧＰＰ  ＴＳ  ３６．３３１  ｖ８．５．０：”Ｒａｄｉｏ  Ｒｅｓｏｕｒｃｅ  Ｃｏｎｔｒｏｌ（ＲＲＣ）−Ｐｒｏｔｏｃｏｌ  Ｓｐｅｃｉｆｉｃａｔｉｏｎ”
【非特許文献４】３ＧＰＰ  ＴＳ  ３６．３０４  ｖ８．５．０：”ＵＥ  Ｐｒｏｃｅｄｕｒｅｓ  ｉｎ  Ｉｄｌｅ  Ｍｏｄｅ”
【発明の概要】
【発明が解決しようとする課題】
【０００９】
しかしながら、サービス品質が異なる複数の接続サービスを提供するセル（ハイブリッドセル）を、移動局装置が接続先として評価する方法（セル再選択評価）は、定められていない。このため、従来の移動局装置では、ハイブリッドセルに対してセル再選択評価をすることができず、ハイブリッドセルに接続することができない、又は、ハイブリッドセルから他のセルへ移動することができない、という欠点があった。
また、仮に、ハイブリッドセルの優先度を予め定め、非特許文献４の評価方法を用いて評価した場合、より高い品質のサービスを提供するセルがあるにもかかわらず、そのセルより品質が低いサービスのセルに移動してしまう場合があるという欠点があった。
このように、従来技術では、サービス品質が異なる複数の接続サービスを提供するセルを評価することができず、品質が高いサービスを提供するセルの基地局装置に接続することができないという欠点があった。【００１０】
本発明は上記の点に鑑みてなされたものであり、その目的は、品質が高いサービスを提供するセルの基地局装置に接続することができる通信システム、移動局装置、接続先評価方法、接続先評価プログラム、及び基地局装置を提供することにある。
【課題を解決するための手段】
【００１１】
（１）本発明は上記の課題を解決するためになされたものであり、本発明は、移動局装置に対して第１の接続サービス、又は、前記第１の接続サービスよりサービス品質が低い第２の接続サービスのいずれかを提供する第１の基地局装置を少なくとも１つ含む複数の基地局装置と、前記基地局装置と通信を行う移動局装置と、を具備する通信システムにおいて、前記移動局装置は、予め定められた周波数帯域毎に、前記周波数帯域を用いる基地局装置へ接続する優先度を記憶する優先度記憶部と、前記第１の基地局装置から受信した識別情報に基づいて、前記第１の基地局装置各々から前記第１の接続サービス又は前記第２の接続サービスのいずれかの提供を受けるかを選択するサービス種別決定部と、前記サービス種別決定部が選択した接続サービスの種類に基づいて前記第１の基地局装置が用いる前記周波数帯域毎の優先度を決定し、決定した優先度で前記優先度記憶部が記憶する優先度を更新する優先度決定部と、前記優先度決定部が更新した優先度と、前記基地局装置各々からの前記周波数帯域毎の受信信号の受信レベルと、に基づいて、接続する基地局装置を選択する選択評価部と、を備えることを特徴とする通信システムである。【００１２】
（２）また、本発明は、上記の通信システムにおいて、前記優先度決定部は、前記サービス種別決定部が前記第１の接続サービスの提供を受けることを選択した第１の基地局装置が用いる前記周波数帯域毎の優先度を、最も高い優先度に決定することを特徴とする。【００１３】
（３）また、本発明は、上記の通信システムにおいて、前記優先度記憶部が記憶する優先度は、前記基地局装置から受信した優先度であり、前記優先度決定部は、前記サービス種別決定部が前記第２の接続サービスの提供を受けることを選択した第１の基地局装置が用いる前記周波数帯域毎の優先度を、前記基地局装置から受信した優先度に決定することを特徴とする。【００１４】
（４）また、本発明は、上記の通信システムにおいて、前記基地局装置は、前記移動局装置が優先度を更新するか否かを示す優先度制御情報であって前記移動局装置に送信する優先度制御情報を生成する優先度制御情報生成部を備え、優先度決定部は、前記基地局装置から受信した優先度制御情報が優先度を更新することを示す場合に優先度を更新し、優先度制御情報が優先度を更新しないことを示す場合に優先度を更新しないことを特徴とする。【００１５】
（５）また、本発明は、上記の通信システムにおいて、前記複数の基地局装置は、移動局装置に対して前記第１の接続サービスのみを提供する第２の基地局装置を少なくとも１つ含み、前記優先度決定部は、前記サービス種別決定部が前記第１の接続サービスの提供を受けることを選択した第１の基地局装置が用いる前記周波数帯域毎の優先度を、前記第２の基地局装置が用いる前記周波数帯域毎の優先度より低い優先度に決定することを特徴とする。【００１６】
（６）また、本発明は、上記の通信システムにおいて、前記優先度決定部は、接続している前記第１の基地局装置であって前記第１の接続サービスの提供を受けている第１の基地局装置が用いる前記周波数帯域毎の優先度を、最も高い優先度に決定することを特徴とする。【００１７】
（７）また、本発明は、上記の通信システムにおいて、前記複数の基地局装置は移動局装置に対して前記第１の接続サービスのみを提供する第２の基地局装置を少なくとも１つ含み、前記優先度決定部は、接続している前記第１の基地局装置であって前記第１の接続サービスの提供を受けている第１の基地局装置が用いる前記周波数帯域毎の優先度を、前記第２の基地局装置が用いる前記周波数帯域毎の優先度より低い優先度に決定することを特徴とする。【００１８】
（８）また、本発明は、上記の通信システムにおいて、前記複数の基地局装置は移動局装置に対して前記第１の接続サービスのみを提供する第２の基地局装置を少なくとも１つ含み、前記優先度決定部は、接続している前記第１の基地局装置であって前記第１の接続サービスの提供を受けている第１の基地局装置が用いる前記周波数帯域毎の優先度を、前記第２の基地局装置が用いる前記周波数帯域毎の優先度と同じ優先度に決定する。【００１９】
（９）また、本発明は、上記の通信システムにおいて、前記選択評価部は、評価対象の周波数帯域の優先度が接続している前記基地局装置が用いる周波数帯域の優先度より高いとき、前記評価対象の周波数帯域での前記受信レベルが予め定められた閾値より高い場合、前記評価対象の周波数帯域を用いる基地局装置を、接続する基地局装置として選択し、評価対象の周波数帯域の優先度が接続している前記基地局装置が用いる周波数帯域の優先度と同じとき、前記評価対象の周波数帯域での前記受信レベルが接続している前記基地局装置が用いる周波数帯域での前記受信レベルより高い場合、前記評価対象の周波数帯域を用いる基地局装置を、接続する基地局装置として選択し、評価対象の周波数帯域の優先度が接続している前記基地局装置が用いる周波数帯域の優先度より低いとき、前記評価対象の周波数帯域での前記受信レベルが予め定めた閾値より高く、接続している前記基地局装置が用いる周波数帯域での前記受信レベルが予め定めた閾値より低い場合、前記評価対象の周波数帯域を用いる基地局装置を、接続する基地局装置として選択する。【００２０】
（１０）また、本発明は、移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置において、予め定められた周波数帯域毎に、前記周波数帯域を用いる基地局装置へ接続する優先度を記憶する優先度記憶部と、前記第１の基地局装置から受信した識別情報に基づいて、前記第１の基地局装置各々から前記第１の接続サービス又は前記第２の接続サービスのいずれかの提供を受けるかを選択するサービス種別決定部と、前記サービス種別決定部が選択した接続サービスの種類に基づいて前記第１の基地局装置が用いる前記周波数帯域毎の優先度を決定し、決定した優先度で前記優先度記憶部が記憶する優先度を更新する優先度決定部と、前記優先度決定部が更新した優先度と、前記基地局装置各々からの前記周波数帯域毎の受信信号の受信レベルと、に基づいて、接続する基地局装置を選択する選択評価部と、を備えることを特徴とする移動局装置である。【００２１】
（１１）また、本発明は、移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置における接続先評価方法において、前記移動局装置は、予め定められた周波数帯域毎に、前記周波数帯域を用いる基地局装置へ接続する優先度を記憶する優先度記憶部を備え、サービス種別決定部が、前記第１の基地局装置から受信した識別情報に基づいて、前記第１の基地局装置各々から前記第１の接続サービス又は前記第２の接続サービスのいずれかの提供を受けるかを選択するサービス種別決定過程と、優先度決定部が、前記サービス種別決定過程にて選択した接続サービスの種類に基づいて前記第１の基地局装置が用いる前記周波数帯域毎の優先度を決定し、決定した優先度で前記優先度記憶部が記憶する優先度を更新する優先度決定過程と、選択評価部が、前記優先度決定手段にて更新した優先度と、前記基地局装置各々からの前記周波数帯域毎の受信信号の受信レベルと、に基づいて、接続する基地局装置を選択する選択評価過程と、を有することを特徴とする接続先評価方法である。【００２２】
（１２）また、本発明は、移動局装置に対して第１の接続サービス、又は、前記第１の接続サービスよりサービス品質が低い第２の接続サービスのいずれかを提供する第１の基地局装置を少なくとも１つ含む複数の基地局装置と通信を行う移動局装置であって、予め定められた周波数帯域毎に、前記周波数帯域を用いる基地局装置へ接続する優先度を記憶する優先度記憶部を備える移動局装置のコンピュータを、前記第１の基地局装置から受信した識別情報に基づいて、前記第１の基地局装置各々から前記第１の接続サービス又は前記第２の接続サービスのいずれかの提供を受けるかを選択するサービス種別決定手段、前記サービス種別決定手段にて選択した接続サービスの種類に基づいて前記第１の基地局装置が用いる前記周波数帯域毎の優先度を決定し、決定した優先度で前記優先度記憶部が記憶する優先度を更新する優先度決定手段、前記優先度決定手段にて更新した優先度と、前記基地局装置各々からの前記周波数帯域毎の受信信号の受信レベルと、に基づいて、接続する基地局装置を選択する選択評価手段、として機能させる接続先評価プログラムである。【００２３】
（１３）また、本発明は、移動局装置に対して第１の接続サービス、又は、前記第１の接続サービスよりサービス品質が低い第２の接続サービスのいずれかを提供する基地局装置において、移動局装置が優先度を更新するか否かを示す優先度制御情報であって前記移動局装置に送信する優先度制御情報を生成する優先度制御情報生成部を備えることを特徴とする基地局装置である。
【発明の効果】
【００２４】
本発明によれば、サービス品質が異なる複数の接続サービスを提供するセルを評価することができ、品質が高いサービスを提供するセルの基地局装置に接続することができる。
【図面の簡単な説明】
【００２５】
【図１】本発明の第１の実施形態に係る通信システムを示す概略図である。
【図２】本実施形態に係る基地局装置の構成を示す概略ブロック図である。
【図３】本実施形態に係る移動局装置の構成を示す概略ブロック図である。
【図４】本実施形態に係る優先度情報テーブルの一例を示す概略図である。
【図５】本実施形態に係るセル情報テーブルの一例を示す概略図である。
【図６】本実施形態に係る優先度情報テーブルの別の一例を示す概略図である。
【図７】本実施形態に係る移動局装置の動作を示すフロー図である。
【図８】本発明の第２の実施形態に係る基地局装置の構成を示す概略ブロック図である。
【図９】本実施形態に係る移動局装置の構成を示す概略ブロック図である。
【図１０】本実施形態に係る優先度情報テーブルの一例を示す概略図である。
【図１１】本実施形態に係る移動局装置の動作を示すフロー図である。
【図１２】本発明の第３の実施形態に係る通信システムを示す概略図である。
【図１３】本実施形態に係る移動局装置の構成を示す概略ブロック図である。
【図１４】本実施形態に係る優先度情報テーブルの一例を示す概略図である。
【図１５】本実施形態に係るセル情報テーブルの一例を示す概略図である。
【図１６】本実施形態に係る優先度情報テーブルの別の一例を示す概略図である。
【図１７】本実施形態に係る移動局装置の動作を示すフロー図である。
【図１８】本実施形態の変形例に係る優先度情報テーブルの一例を示す概略図である。
【発明を実施するための形態】
【００２６】
（第１の実施形態）
以下、図面を参照しながら本発明の実施形態について詳しく説明する。
【００２７】
＜通信システム１について＞
図１は、本発明の第１の実施形態に係る通信システム１を示す概略図である。この図において、セルＣ１、Ｃ２は、それぞれ、基地局装置Ａ１、Ａ２の通信範囲を示す。また、セルＣ１の種別は、全ユーザが接続することが可能な通常セル、特定のユーザのみ接続することを許容するＣＳＧ（Ｃｌｏｓｅｄ  Ｓｕｂｓｃｒｉｂｅｒ  Ｇｒｏｕｐ）セル、一部のユーザ（移動局装置）はＣＳＧセルとして接続してその他ユーザは通常セルとして接続するハイブリッド（Ｈｙｂｒｉｄ）セルのいずれかである（このような種別をセル種別という）。なお、ＣＳＧセルでは通常セルと比較して、速い通信速度、大きい通信容量、又は安い通信料金等、加入者に対する高付加価値のサービスが提供される。
また、この図は、セルＣ２のセル種別がハイブリッドセルであり、セルＣ２のＣＳＧ識別子（ＣＳＧ  ｉｄｅｎｔｉｔｙ；ＣＳＧ  ＩＤ）が「１」であることを示す。すなわち、セルＣ２では、基地局装置Ａ２が、ＣＳＧセルの接続サービス（第１の接続サービス）又は、この接続サービスより品質が低い通常セルの接続サービス（第２の接続サービス）のいずれかを提供する。
【００２８】
また、図１において、移動局装置Ｂ１、Ｂ２は、セルＣ１に在圏している。この図は、移動局装置Ｂ１、Ｂ２が、許可ＣＳＧリスト（ａｌｌｏｗｅｄ  ＣＳＧ  ｌｉｓｔ）を予め記憶していることを示す。また、この図は、移動局装置Ｂ２の許可ＣＳＧリストには、セルＣ２のＣＳＧ識別子「１」のＣＳＧ識別子が含まれることを示し、また、移動局装置Ｂ１の許可ＣＳＧリストには値が「１」のＣＳＧ識別子が含まれないことを示す。
【００２９】
本実施形態では、セルＣ２のＣＳＧ識別子「１」を含まない許可ＣＳＧリストを記憶する移動局装置Ｂ１は、セルＣ２を通常セルとしてセル再選択評価を行う。一方、セルＣ２のＣＳＧ識別子「１」を含む許可ＣＳＧリストを記憶する移動局装置Ｂ２は、セルＣ２をＣＳＧセルとしてセル再選択評価を行う。移動局装置Ｂ１、Ｂ２は、セル再選択評価の結果、セルＣ２に移行すると判定した場合、セルＣ２へのセル移行処理を行う。
以下、基地局装置Ａ２を基地局装置ａ１とし、また、移動局装置Ｂ１、Ｂ２を移動局装置ｂ１として説明をする。
【００３０】
＜基地局装置ａ１の構成について＞
図２は、本実施形態に係る基地局装置ａ１の構成を示す概略ブロック図である。この図において、基地局装置ａ１は、システム情報生成部ａ１０１、ＣＳＧユーザ情報記憶部ａ１０２、制御部ａ１０３、受信部ａ１０４、無線送信部ａ１０５、送信アンテナａ１０６、受信アンテナａ１１１、無線受信部ａ１１２、認証部ａ１１３、及び送信部ａ１１４を含んで構成される。また、基地局装置ａ１は、その他、基地局装置の一般的な公知の機能を備える。なお、図２では、基地局装置ａ１がハイブリッドセルの基地局装置である場合について説明をする。
【００３１】
システム情報生成部ａ１０１は、移動局装置ｂ１との通信を制御するシステム情報（Ｓｙｓｔｅｍ  ｉｎｆｏｒｍａｔｉｏｎ）を生成し、制御部ａ１０３に出力する。
このシステム情報には、例えば、基地局装置ａ１のセルＩＤ（Ｐｈｙｓｉｃａｌ  Ｃｅｌｌ  Ｉｄｅｎｔｉｔｙ）、基地局装置ａ１のセルのＣＳＧ識別子（例えば、図１の基地局装置Ａ２の場合は、「１」）、及び、予め定められた周波数帯域（サービス周波数という）毎のセル再選択優先度(ｃｅｌｌ  Ｒｅｓｅｌｅｃｔｉｏｎ  Ｐｒｉｏｒｉｔｙ)が含まれる。物理セル識別子は、セルの識別情報であり、また、セル種別を示す情報である。以下、図１のセルＣ１、Ｃ２、・・・のセルＩＤを単に「Ｃ１」、「Ｃ２」、・・・と表わす。また、セル再選択優先度は、通常、値が０〜７の範囲で設定される。ただし、後述するように、優先度決定部ｂ１１６は、セル再選択優先度を、通常設定される範囲より高い値「８」に設定する。この再選択優先度は、値が大きいほど優先度が高いことを示す。なお、セル再選択優先度は、予め記憶してもよいし、通信によって他の装置から取得してもよい。
また、このシステム情報には、後述する制御部ａ１０３が決定した制御情報（例えば、時間周波数帯域の情報）も含まれる。
【００３２】
ＣＳＧユーザ情報記憶部ａ１０２は、ＣＳＧユーザ情報を記憶する。このＣＳＧユーザ情報には、ＣＳＧセルとして接続させるユーザ識別情報（例えば、端末ＩＤや利用者ＩＤ）及びＣＳＧセルとして接続するか否かを示すサービス種別情報が含まれる。なお、このサービス種別情報は、移動局装置ｂ１から受信してＣＳＧユーザ情報記憶部ａ１０２に記憶された情報である。また、ＣＳＧユーザ情報はネットワーク側の上位エンティティ（コアネットワーク）から受信しても良い。この場合、ＣＳＧユーザ情報記憶部ａ１０２は、コアネットワークから受信部ａ１０４を介して在圏中のユーザのＣＳＧユーザ情報を取得し、格納する。上位エンティティは、例えば、Ｗ−ＣＤＭＡのＨＬＲ（Ｈｏｍｅ Ｌｏｃａｔｉｏｎ Ｒｅｇｉｓｔｅｒ）、ＬＴＥのＨＳＳ（Ｈｏｍｅ Ｓｕｂｓｃｒｉｂｅｒ Ｓｅｒｖｅｒ）などが該当する。
【００３３】
制御部ａ１０３は、予め記憶する情報及びシステム情報生成部ａ１０１から入力されたシステム情報に基づいて無線送信部ａ１０５及び無線受信部ａ１１２を制御する。具体的には、制御部ａ１０３は、ＣＳＧユーザ情報記憶部ａ１０２が記憶するＣＳＧユーザ情報に基づいて、移動局装置ｂ１に割り当てる時間周波数帯域を決定する。
【００３４】
また、制御部ａ１０３は、接続する移動局装置ｂ１に対してＣＳＧセルの接続サービス又は通常セルの接続サービスのいずれかを提供するかを判定する。具体的には、制御部ａ１０３は、移動局装置ｂ１から受信したユーザ識別情報がＣＳＧユーザ情報に含まれ、サービス種別情報がＣＳＧセルとして接続することを示す場合、ＣＳＧセルの接続サービスを提供すると判定する。
例えば、ＣＳＧセルの接続サービスを提供すると判定した場合、制御部ａ１０３は、ＣＳＧセルの接続サービスを提供する移動局装置ｂ１に対して、通常セルの接続サービスを提供する移動局装置と比較して、時間周波数帯域を多く割り当て、また、通信速度が速い周波数帯域（例えば、高い周波数の帯域）を優先して割り当てる。
また、制御部ａ１０３は、システム情報生成部ａ１０１から入力されたシステム情報、及び、認証部ａ１１３から入力された認証結果情報を、無線送信部ａ１０５に出力する。
【００３５】
受信部ａ１０４は、他のネットワークを介して接続された他の通信装置と通信を行って、移動局装置ｂ１に送信する情報を取得する。
無線送信部ａ１０５は、受信部ａ１０４から入力された情報と制御部ａ１０３から入力された情報を変調した信号を生成し、制御部ａ１０３が決定した時間周波数帯域に、生成した信号をマッピングする。無線送信部ａ１０５は、マッピングした信号を無線周波数帯域にアップコンバートし、送信アンテナａ１０６を介して送信する。
【００３６】
無線受信部ａ１１２は、受信アンテナａ１１１を介して受信した信号をベースバンド帯域にダウンコンバートする。無線受信部ａ１１２は、ダウンコンバートした信号をデマッピングし、デマッピングした信号を復調して情報（ビット列）を生成する。無線受信部ａ１１２は、生成した情報のうち、ユーザ識別情報を認証部ａ１１３に出力する。また、無線受信部ａ１１２は、生成した情報のうち、通信の制御に用いる情報（サービス種別情報を含む）をシステム情報生成部ａ１０１及び制御部ａ１０３に出力し、それ以外の情報を送信部ａ１１４に出力する。
【００３７】
認証部ａ１１３は、無線受信部ａ１１２から入力されたユーザ識別情報が、ＣＳＧユーザ情報記憶部ａ１０２が記憶するＣＳＧユーザ情報に含まれるか否かを判定する。認証部ａ１１３は、判定結果を示す認証結果情報を制御部ａ１０３に出力する。
送信部ａ１１４は、無線受信部ａ１１２から入力された情報を、他のネットワークを介して接続された他の通信装置に送信する。
【００３８】
＜移動局装置ｂ１の構成について＞
図３は、本実施形態に係る移動局装置ｂ１の構成を示す概略ブロック図である。この図において、移動局装置ｂ１は、受信アンテナｂ１０１、無線受信部ｂ１０２、制御部ｂ１０３、出力部ｂ１０４、セルサーチ部Ｓ１、入力部ｂ１２１、無線受信部ｂ１２２、及び送信アンテナｂ１２３を含んで構成される。また、セルサーチ部Ｓ１は、受信レベル検出部ｂ１１１、セル種別判定部ｂ１１２、ＣＳＧ許可リスト記憶部ｂ１１３、サービス種別決定部ｂ１１４、セル情報記憶部ｂ１１５、優先度決定部ｂ１１６、優先度記憶部ｂ１１７、閾値記憶部ｂ１１８、及びセル再選択評価部ｂ１１９（選択評価部）を含んで構成される。また、移動局装置ｂ１は、その他、移動局装置の一般的な公知の機能を備える。
【００３９】
無線受信部ｂ１０２は、受信アンテナｂ１０１を介して受信した信号をベースバンド帯域にダウンコンバートする。無線受信部ｂ１０２は、ダウンコンバートした信号をデマッピングし、デマッピングした信号を復調して情報（ビット列）を生成する。無線受信部ｂ１０２は、生成した情報のうち、システム情報を制御部ｂ１０３に出力し、それ以外の情報を出力部ｂ１０４に出力する。
【００４０】
制御部ｂ１０３は、無線受信部ｂ１０２から入力されたシステム情報に基づいて、無線受信部ｂ１０２及び無線送信部ｂ１２２を制御する。具体的には、制御部ｂ１０３は、システム情報から自装置が利用する時間周波数帯域の情報を抽出し、その情報が示す帯域を用いて、無線信号の送受信を行わせる制御を行う。
また、制御部ｂ１０３は、システム情報から抽出したセルＩＤ及びＣＳＧ識別子を、セル種別判定部ｂ１１２に出力する。また、セルＩＤのセルに在圏しているか否かを示す評価種別を選択する。制御部ｂ１０３は、システム情報から抽出したサービス周波数毎のセル再選択優先度を優先度情報として、優先度記憶部ｂ１１７に記憶する。
また、制御部ｂ１０３は、後述するセル再選択評価部ｂ１１９からセルＩＤが入力されると、そのセルＩＤのセルに移行するための制御をする。
【００４１】
受信レベル検出部ｂ１１１は、基地局装置各々からのサービス周波数毎の受信信号の受信レベルを検出する。この受信レベルには、パイロット信号の受信電力を示すＲＳＲＰ（Ｒｅｆｅｒｅｎｃｅ  Ｓｉｇｎａｌ  Ｒｅｃｅｉｖｅ  Ｐｏｗｅｒ）を用いるが、本発明はこれに限らず、例えば、伝搬損失を示すｐａｔｈｌｏｓｓ（パスロス）、ＲＳＲＰとシステム情報で通知されるパラメータから算出するＳ値等であってもよい。ここで、受信レベル検出部ｂ１１１は、受信レベルを０〜１０の値（この値が大きいほど、受信電力が高い）でランク付けを行う。受信レベル検出部ｂ１１１は、ランクで表わしたサービス周波数毎の受信レベルをセル種別判定部ｂ１１２に出力する。
【００４２】
セル種別判定部ｂ１１２は、制御部ｂ１０３から入力されたセルＩＤに基づいて、セル種別を選択する。セル種別判定部ｂ１１２は、制御部ｂ１０３から入力された情報、選択したセル種別、及び、受信レベル検出部ｂ１１１から入力された受信レベルをサービス種別決定部ｂ１１４に出力する。
【００４３】
ＣＳＧ許可リスト記憶部ｂ１１３は、ＣＳＧ許可リストを記憶する。
サービス種別決定部ｂ１１４は、セル種別判定部ｂ１１２から入力されたセル種別がハイブリッドセルを示す場合、ＣＳＧ許可リスト記憶部ｂ１１３からＣＳＧ許可リストを読み出す。サービス種別決定部ｂ１１４は、セル種別判定部ｂ１１２から入力されたＣＳＧ識別子が、読み出したＣＳＧ許可リストに含まれるか否かを判定する。サービス種別決定部ｂ１１４は、ＣＳＧ識別子がＣＳＧ許可リストに含まれると判定した場合にサービス種別を「ＣＳＧセル方式」に決定し、ＣＳＧ識別子がＣＳＧ許可リストに含まれないと判定した場合にサービス種別を「通常セル方式」に決定する。すなわち、ＣＳＧ許可リスト記憶部ｂ１１３は、基地局装置ａ１から受信した識別情報に基づいて、基地局装置ａ１各々からＣＳＧセルの接続サービス又は通常セルの接続サービスのいずれかの提供を受けるかを選択する。
サービス種別決定部ｂ１１６は、セル種別判定部ｂ１１２から入力された情報、及び、決定したサービス種別をセル情報として、セル情報記憶部ｂ１１５に記憶する。また、サービス種別は、サービス種別情報として基地局装置に送信される。
セル情報記憶部ｂ１１５は、セルＩＤ、セル種別、サービス周波数、ＣＳＧ識別子、サービス種別、及び受信レベルを対応付けたセル情報を記憶する（図５参照）。
【００４４】
優先度決定部ｂ１１６は、セル情報記憶部ｂ１１５から読み出したセル情報に基づいて、ある周波数でＣＳＧセル、又は、サービス種別がＣＳＧセル方式のハイブリッドセル（以下、ハイブリッドセル（ＣＳＧ方式）とする）の受信レベルが最も高いか否かを判定する。受信レベルが最も高いと判定した場合、優先度決定部ｂ１１６は、そのセルが用いるサービス周波数のセル再選択優先度を最も高い値（「８」）に決定する。すなわち、優先度決定部ｂ１１６は、サービス種別決定部ｂ１１６がＣＳＧセルの接続サービスの提供を受けることを選択した基地局装置ａ１が用いる周波数帯域毎の優先度を、最も高い優先度に決定する。また、優先度決定部ｂ１１６は、サービス種別決定部ｂ１１６が通常セルの接続サービスの提供を受けることを選択した基地局装置ａ１が用いる周波数帯域毎の優先度を、基地局装置から受信した優先度に決定する。
【００４５】
また、優先度決定部ｂ１１６は、セル情報記憶部ｂ１１５から読み出したセル情報に基づいて、在圏セルがＣＳＧ、又は、ハイブリッドセル（ＣＳＧ方式）であるか否かを判定する。在圏セルがＣＳＧ、又は、ハイブリッドセル（ＣＳＧ方式）であると判定した場合、優先度決定部ｂ１１６は、そのセルが用いるサービス周波数のセル再選択優先度を最も高い値（「８」）に決定する。すなわち、優先度決定部ｂ１１６は、接続している基地局装置ａ１であってＣＳＧセルの接続サービスの提供を受けている基地局装置ａ１が用いる周波数帯域毎の優先度を、最も高い優先度に決定する。
優先度決定部ｂ１１６は、決定したセル再選択優先度で、優先度記憶部ｂ１１７が記憶する優先度情報のセル再選択優先度を更新する。
【００４６】
閾値記憶部ｂ１１８は、予め定められた受信レベルの閾値Ｔｈ１、Ｔｈ２、Ｔｈ３を記憶する。
セル再選択評価部ｂ１１９は、優先度記憶部ｂ１１７が記憶する優先度情報に基づいて、セル再選択評価を行うセル（評価セルという）のセル再選択優先度と、在圏しているセル（在圏セルという）のセル再選択優先度と、を比較する。比較の結果、次の（Ａ１）〜（Ａ３）の場合の処理を行う。
【００４７】
（Ａ１）評価セルのセル再選択優先度が在圏セルのセル再選択優先度より大きい場合
セル再選択評価部ｂ１１９は、予め定めた時間ΔＴの間継続して、評価セルの受信レベルが閾値Ｔｈ１より高いか否かを判定する。評価セルの受信レベルが閾値Ｔｈ１より高いと判定した場合、セル再選択評価部ｂ１１９は、この評価セルのセルＩＤを制御部ｂ１０３に出力する。
（Ａ２）評価セルのセル再選択優先度が在圏セルのセル再選択優先度と等しい場合
セル再選択評価部ｂ１１９は、予め定めた時間ΔＴの間継続して、評価セルの受信レベルが在圏セルの受信レベルより高いか否かを判定する。評価セルの受信レベルが在圏セルの受信レベルより高いと判定した場合、セル再選択評価部ｂ１１９は、この評価セルのセルＩＤを制御部ｂ１０３に出力する。
（Ａ３）評価セルのセル再選択優先度が在圏セルのセル再選択優先度より小さい場合
セル再選択評価部ｂ１１９は、予め定めた時間ΔＴの間継続して、在圏セルの受信レベルが閾値Ｔ２より低く、かつ、評価セルの受信レベルが閾値Ｔ３より高いか否かを判定する。在圏セルの受信レベルが閾値Ｔ２より低く、かつ、評価セルの受信レベルが閾値Ｔ３より高いと判定した場合、セル再選択評価部ｂ１１９は、この評価セルのセルＩＤを制御部ｂ１０３に出力する。
なお、セル再選択評価部ｂ１１９が行うこの処理を、セル再選択評価処理という。
【００４８】
＜移動局装置ｂ１が記憶する情報について＞
図４は、本実施形態に係る優先度情報テーブルの一例を示す概略図である。図示するように優先度情報テーブルには、サービス周波数毎にセル再選択優先度が格納されることを示す。
例えば、図４のサービス周波数「Ｃｈ０２」は、セル再選択優先度が「４」であることを示す。
【００４９】
図５は、本実施形態に係るセル情報テーブルの一例を示す概略図である。図示するようにセル情報テーブルは、セルＩＤ、セル種別、サービス周波数、ＣＳＧ識別子、サービス種別、受信レベルの各項目の列を有している。
例えば、図５のセルＣ２は、サービス周波数「Ｃｈ０１」で運用される「ＣＳＧ」セルで、サービス種別が「×」、つまり、移動局装置が接続を許容されていないセルであることを示す。また、セルＣ３は、サービス周波数「Ｃｈ０２」で運用される「ハイブリッド」セルで、サービス種別「ＣＳＧ」、つまり、移動局装置にＣＳＧセルの接続サービスが提供されるセルであることを示す。
【００５０】
図６は、本実施形態に係る優先度情報テーブルの別の一例を示す概略図である。この図は、図４の例の優先度情報テーブル、図５の例のセル情報テーブルの場合に、優先度決定部ｂ１１６がセル再選択優先度を更新した後の優先度情報テーブルを示す。図６に図示するように優先度情報テーブルには、サービス周波数毎にセル再選択優先度が格納されている。
図６と図４とを比較すると、サービス周波数「Ｃｈ０２」のセル再選択優先度が「４」（図４）から「８」（図６）に更新されている点、及び、サービス周波数「Ｃｈ０３」のセル再選択優先度が「２」（図４）から「８」（図６）に更新されている点が異なる。つまり、図６は、優先度決定部ｂ１１６が、セル種別が「ハイブリッド」でサービス種別が「ＣＳＧ」のセルＣ３、及び、セル種別が「ＣＳＧ」のセルＣ４がそれぞれのサービス周波数「Ｃｈ０２」、「Ｃｈ０３」で最も受信レベルが高いセルであると判定し、セル再選択優先度を、最も高い値（「８」）に決定し、決定した値で、優先度情報テーブルのセル再選択優先度を更新したことを示す。
【００５１】
＜移動局装置ｂ１の動作について＞
図７は、本実施形態に係る移動局装置ｂ１の動作を示すフロー図である。
【００５２】
（ステップＳ１０１）移動局装置ｂ１は、基地局装置から受信したセル再選択優先度を優先度記憶部ｂ１１７に記憶する。その後、ステップＳ１０２に進む。
（ステップＳ１０２）移動局装置ｂ１は、在圏中のセルの受信レベルに応じてセルサーチを行う。その後、ステップＳ１０３に進む。
（ステップＳ１０３）移動局装置ｂ１は、ステップＳ１０２で検出したセルの受信レベルを測定し、サービス周波数ごとに受信レベル順にランク付けする。その後、ステップＳ１０４に進む。
（ステップＳ１０４）移動局装置ｂ１は、各サービス周波数で最上位にランクされたセルのセルＩＤからセル種別を選択し、選択したセル種別がハイブリッドセルであるか否かを判定する。ハイブリッドセルであると判定した場合（Ｙｅｓ）、ステップＳ１０５に進む。ハイブリッドセルでないと判定した場合（Ｎｏ）、ステップＳ１０８に進む。
なお、ここでは各サービス周波数で最上位にランクされたセルのみセル種別を判定するとしたが、検出した全てのセルについてセル種別を判定しても良い。
【００５３】
（ステップＳ１０５）移動局装置ｂ１は、基地局装置ａ１からシステム情報を受信し、ＣＳＧ識別子を取得する。その後ステップＳ１０６に進む。
（ステップＳ１０６）移動局装置ｂ１は、ステップＳ１０５で取得したＣＳＧ識別子がＣＳＧ許可リストに含まれるか否かを判定する。ＣＳＧ識別子がＣＳＧ許可リストに含まれると判定した場合（Ｙｅｓ）、ステップＳ１０７に進む。一方、ＣＳＧ識別子がＣＳＧ許可リストに含まれないと判定した場合（Ｎｏ）、ステップＳ１１０に進む。
（ステップＳ１０７）移動局装置ｂ１は、ＣＳＧ識別子がＣＳＧ許可リストに含まれるとステップＳ１０６で判定したセルのセル再選択優先度を最も高い値で更新する。その後、ステップＳ１１０に進む。
【００５４】
（ステップＳ１０８）移動局装置ｂ１は、ステップＳ１０４で選択したセル種別がＣＳＧセルであるか否かを判定する。セル種別がＣＳＧセルであると判定した場合（Ｙｅｓ）、ステップＳ１０９に進む。一方、セル種別がＣＳＧセルでないと判定した場合（Ｎｏ）、ステップＳ１１０に進む。
（ステップＳ１０９）移動局装置ｂ１は、セル種別がＣＳＧセルであるとステップＳ１０８で判定したセルのセル再選択優先度を最も高い値で更新する。その後、ステップＳ１１０に進む。
（ステップＳ１１０）移動局装置ｂ１は、ステップＳ１０２のセルサーチで検出した全てのセルのサービス周波数に対して、ステップＳ１０３〜Ｓ１０９の処理が完了したか否かを判定する。全てのサービス周波数に対して処理が完了したと判定した場合（Ｙｅｓ）、ステップＳ１１１に進む。一方、全てのサービス周波数に対して処理が完了していないと判定した場合（Ｎｏ）、ステップＳ１０３に戻る。
【００５５】
（ステップＳ１１１）移動局装置ｂ１は、セル再選択評価処理を行う。その後、ステップＳ１１１に進む。
（ステップＳ１１２）移動局装置ｂ１は、ステップＳ１１１の処理結果に基づいて、在圏セルを評価セルに変更するか否かを判定する。在圏セルを変更すると判定した場合（Ｙｅｓ）、ステップＳ１１３に進む。一方、在圏セルを変更しないと判定した場合（Ｎｏ）、動作を終了する。
（ステップＳ１１３）移動局装置ｂ１は、ステップＳ１１２で変更すると判定し評価セルにセル移行処理を行う。その後、動作を終了する。
【００５６】
このように、本実施形態によれば、移動局装置ｂ１は、予め定められた周波数帯域（ＣｈＮ）毎に周波数帯域を用いる基地局装置へ接続する優先度を記憶し、基地局装置ａ１から受信したＣＳＧ識別子に基づいて、基地局装置ａ１各々からＣＳＧセルの接続サービス又は通常セルの接続サービスのいずれかの提供を受けるかを選択する。また、移動局装置ｂ１は、選択したサービスの種類に基づいて基地局装置ａ１が用いる周波数帯域毎の優先度を決定し、決定した優先度で記憶する優先度を更新し、更新した優先度と基地局装置各々からの周波数帯域毎の受信信号の受信レベルとに基づいて、接続する基地局装置を選択する。これにより、移動局装置ｂ１は、サービス品質が異なる複数の接続サービスを提供するセルを評価することができ、品質が高いサービスを提供するセルの基地局装置に接続することができる。
【００５７】
また、本実施形態によれば、移動局装置ｂ１は、ＣＳＧセルの接続サービスの提供を受けることを選択した基地局装置ａ１が用いる周波数帯域毎の優先度を、最も高い優先度に決定する。これにより、移動局装置ｂ１は、ＣＳＧセルの接続サービスを受けるハイブリッドセルを最も優先して選択することができる。
【００５８】
（第２の実施形態）
以下、図面を参照しながら本発明の第２の実施形態について詳しく説明する。
上記第１の実施形態では、移動局装置ｂ１が、ＣＳＧセル及びハイブリッドセル（ＣＳＧセル方式）のセル再選択優先度を更新し、このセルに優先して接続する場合について説明をした。ところで、ハイブリッドセルでは移動局装置が通常セルとしての接続もできるため、在圏する移動局装置が多くなると、サービス品質が落ちる場合がある。例えば、ハイブリッドセルでは、通常セルで接続する移動局装置が多くなると、ＣＳＧセル方式で接続する移動局装置に割り当てる時間周波数帯域が少なくなってしまい、通信速度が落ちる場合がある。この場合、このセルにＣＳＧセル方式で接続する利点が少なくなる。つまり、ＣＳＧセル方式で接続できるハイブリッドセルであっても、ＣＳＧセル方式を優先して接続する利点が少なくなる。
本実施形態では、セル再選択優先度の更新を行うか否かを示す優先度制御情報を基地局装置が送信し、移動局装置が優先度制御情報に基づいてセル再選択優先度の更新を行う場合について説明をする。
なお、本実施形態に係る通信システムを示す概略図は、図１と同じであるので説明は省略する。また、本実施形態に係る基地局装置を基地局装置ａ２といい、移動局装置を移動局装置ｂ２という。
【００５９】
＜基地局装置ａ２の構成について＞
図８は、本発明の第２の実施形態に係る基地局装置ａ２の構成を示す概略ブロック図である。本実施形態に係る基地局装置ａ２（図８）と第１の実施形態に係る基地局装置ａ１（図２）とを比較すると、優先度制御情報生成部ａ２０７が異なる。しかし、他の構成要素（システム情報生成部ａ１０１、ＣＳＧユーザ情報記憶部ａ１０２、制御部ａ１０３、受信部ａ１０４、無線送信部ａ１０５、送信アンテナａ１０６、受信アンテナａ１１１、無線受信部ａ１１２、認証部ａ１１３、及び送信部ａ１１４）が持つ機能は第１の実施形態と同じである。第１の実施形態と同じ機能の説明は省略する。
【００６０】
優先度制御情報生成部ａ２０７は、セル再選択優先度の更新を行うか否かを示す優先度制御情報を生成する。この優先度制御情報は、基地局装置ａ２のセルの在圏する移動局装置の数（在圏数という）が予め定めた閾値以上であるの場合、セル再選択優先度の更新を行わないことを示し、予め定めた閾値より小さい場合、セル再選択優先度の更新を行うことを示す。しかし、本発明はこれに限らず、優先度制御情報は、例えば、移動局装置に割り当てた帯域が予め定めた閾値以上である場合、又は時刻が通信量の多い時間帯である場合、にセル再選択優先度の更新を行わないことを示し、これらの値が閾値より小さい場合にセル再選択優先度の更新を行うことを示すようにしてもよい。
優先度制御情報生成部ａ２０７は、生成した優先度制御情報を、システム情報生成部ａ１０１に出力する。この優先度制御情報は、システム情報として、移動局装置ｂ２に送信される。
【００６１】
＜移動局装置ｂ２の構成について＞
図９は、本実施形態に係る移動局装置ｂ２の構成を示す概略ブロック図である。本実施形態に係る移動局装置ｂ２（図９）と第１の実施形態に係る移動局装置ｂ１（図３）とを比較すると、優先度決定部ｂ２１６が異なる。しかし、他の構成要素（受信アンテナｂ１０１、無線受信部ｂ１０２、制御部ｂ１０３、出力部ｂ１０４、入力部ｂ１２１、無線受信部ｂ１２２、送信アンテナｂ１２３、受信レベル検出部ｂ１１１、セル種別判定部ｂ１１２、ＣＳＧ許可リスト記憶部ｂ１１３、サービス種別決定部ｂ１１４、セル情報記憶部ｂ１１５、優先度記憶部ｂ１１７、閾値記憶部ｂ１１８、及びセル再選択評価部ｂ１１９）が持つ機能は第１の実施形態と同じである。第１の実施形態と同じ機能の説明は省略する。
【００６２】
優先度決定部ｂ２１６は、制御部ｂ１０３から入力されたシステム情報から、優先度制御情報を抽出する。優先度決定部ｂ２１６は、抽出した優先度制御情報に基づいて、次の（Ｂ１）、（Ｂ２）の場合の処理を行う。
【００６３】
（Ｂ１）優先度制御情報がセル再選択優先度の更新を行わないことを示す場合
優先度決定部ｂ２１６は、セル情報記憶部ｂ１１５から読み出したセル情報に基づいて、ある周波数でＣＳＧセルの受信レベルが最も高いか否かを判定する。受信レベルが最も高いと判定した場合、優先度決定部ｂ２１６は、そのセルが用いるサービス周波数のセル再選択優先度を最も高い値（「８」）に決定する。
また、優先度決定部ｂ２１６は、セル情報記憶部ｂ１１５から読み出したセル情報に基づいて、在圏セルがＣＳＧであるか否かを判定する。在圏セルがＣＳＧであると判定した場合、優先度決定部ｂ２１６は、そのセルが用いるサービス周波数のセル再選択優先度を最も高い値（「８」）に決定する。
【００６４】
（Ｂ２）優先度制御情報がセル再選択優先度の更新を行うことを示す場合
優先度決定部ｂ２１６は、セル情報記憶部ｂ１１５から読み出したセル情報に基づいて、ある周波数でＣＳＧセル、又は、ハイブリッドセル（ＣＳＧ方式）の受信レベルが最も高いか否かを判定する。受信レベルが最も高いと判定した場合、優先度決定部ｂ２１６は、そのセルが用いるサービス周波数のセル再選択優先度を最も高い値（「８」）に決定する。
また、優先度決定部ｂ２１６は、セル情報記憶部ｂ１１５から読み出したセル情報に基づいて、在圏セルがＣＳＧ、又は、ハイブリッドセル（ＣＳＧ方式）であるか否かを判定する。在圏セルがＣＳＧ、又は、ハイブリッドセル（ＣＳＧ方式）であると判定した場合、優先度決定部ｂ２１６は、そのセルが用いるサービス周波数のセル再選択優先度を最も高い値（「８」）に決定する。
上記の（Ｂ１）又は（Ｂ２）の場合の処理の結果、優先度決定部ｂ２１６は、決定したセル再選択優先度で、優先度記憶部ｂ１１７が記憶する優先度情報のセル再選択優先度を更新する。
【００６５】
＜移動局装置ｂ２が記憶する情報について＞
図１０は、本実施形態に係る優先度情報テーブルの一例を示す概略図である。この図は、図４の例のセル情報、図５の例のセル情報テーブルのときに、優先度決定部ｂ２１６が、上記の（Ｂ１）の処理（優先度制御情報がセル再選択優先度の更新を行わないことを示す場合の処理）を行った後の優先度情報テーブルを示す。なお、図４の例の優先度情報テーブル、図５の例のセル情報テーブルのときに、優先度決定部ｂ２１６が、上記の（Ｂ２）の処理（優先度制御情報がセル再選択優先度の更新を行うことを示す場合の処理）を行った後の優先度情報テーブルは、図６と同じである。
図１０と図６とを比較すると、セル再選択優先度は、サービス周波数Ｃｈ０２の優先度が「４」（図１０）と「８」（図６）である点が異なる。図１０は、優先度決定部ｂ２１６が上記の（Ｂ１）の処理を行った場合、サービス周波数Ｃｈ０３の優先度のみを更新し、サービス周波数Ｃｈ０２の優先度を更新しないことを示す。
【００６６】
＜移動局装置ｂ２の動作について＞
図１１は、本実施形態に係る移動局装置ｂ２の動作を示すフロー図である。本実施形態に係る移動局装置ｂ２の動作（図１１）と第１の実施形態に係る移動局装置ｂ１の動作（図７）とを比較すると、ステップＳ２２０の処理が異なる。しかし、他の処理（ステップＳ１０１〜Ｓ１１３）は第１の実施形態と同じである。第１の実施形態と同じ処理の説明は省略する。
【００６７】
（ステップＳ２２０）移動局装置ｂ２は、優先度制御情報がセル再選択優先度の更新を行わないことを示すか否かを判定する。優先度制御情報がセル再選択優先度の更新を行わないことを示す場合（Ｙｅｓ）、ステップＳ１１０に進む。一方、優先度制御情報がセル再選択優先度の更新を行うことを示す場合（Ｎｏ）、ステップＳ１０５に進む。
【００６８】
このように、本実施形態によれば、基地局装置ａ２は、移動局装置ｂ２が優先度を更新するか否かを示す優先度制御情報であって移動局装置ｂ２に送信する優先度制御情報を生成する。また、移動局装置ｂ２は、基地局装置ａ２から受信した優先度制御情報が優先度を更新することを示す場合に優先度を更新し、優先度制御情報が優先度を更新しないことを示す場合に優先度を更新しない。これにより、移動局装置ｂ２は、ＣＳＧセル方式で接続できるハイブリッドセルであってもＣＳＧセル方式を優先して接続する利点が少ない場合に、このハイブリッドセルを優先して接続することを防止することができる。
【００６９】
（第３の実施形態）
以下、図面を参照しながら本発明の第３の実施形態について詳しく説明する。
ハイブリッドセルでは移動局装置が通常セルとしての接続もできるため、ＣＳＧセルと比較してサービス品質が落ちる場合がある。例えば、ハイブリッドセルでは、通常セルで接続する移動局装置に時間周波数帯域を割り当てると、ＣＳＧセル方式で接続する移動局装置に割り当てる時間周波数帯域が少なくなってしまい、ＣＳＧセルと比較して通信速度が落ちる場合がある。
本実施形態では、移動局装置が、ＣＳＧセルをハイブリッドセル（ＣＳＧセル方式）より優先して接続する場合について説明をする。なお、後述するように、優先度決定部ｂ３１６は、セル再選択優先度を、通常設定される範囲（「０」〜「７」）より高い値「８」又は「９」を設定する。
【００７０】
＜通信システムについて＞
図１２は、本発明の第３の実施形態に係る通信システム３を示す概略図である。この図において、セルＣ４、Ｃ５は、それぞれ、基地局装置Ａ４、Ａ５の通信範囲を示す。また、この図は、セルＣ４、Ｃ５のセル種別がそれぞれハイブリッドセル、ＣＳＧセルであり、セルＣ４のＣＳＧ識別子が「３」であることを示す。
また、図１２において、移動局装置Ｂ３は、セルＣ４に在圏している。この図は、移動局装置Ｂ３が、許可ＣＳＧリストを予め記憶し、この許可ＣＳＧリストにはセルＣ４のＣＳＧ識別子「３」のＣＳＧ識別子が含まれることを示す。
以下、移動局装置Ｂ３を移動局装置ｂ３として説明をする。なお、基地局装置Ａ４の構成は第１の実施形態の基地局装置ａ１と同じであるので、説明は省略する。
【００７１】
＜移動局装置ｂ３の構成について＞
図１３は、本実施形態に係る移動局装置ｂ３の構成を示す概略ブロック図である。本実施形態に係る移動局装置ｂ３（図１３）と第１の実施形態に係る移動局装置ｂ１（図３）とを比較すると、優先度決定部ｂ３１６が異なる。しかし、他の構成要素（受信アンテナｂ１０１、無線受信部ｂ１０２、制御部ｂ１０３、出力部ｂ１０４、入力部ｂ１２１、無線受信部ｂ１２２、送信アンテナｂ１２３、受信レベル検出部ｂ１１１、セル種別判定部ｂ１１２、ＣＳＧ許可リスト記憶部ｂ１１３、サービス種別決定部ｂ１１４、セル情報記憶部ｂ１１５、優先度記憶部ｂ１１７、閾値記憶部ｂ１１８、及びセル再選択評価部ｂ１１９）が持つ機能は第１の実施形態と同じである。第１の実施形態と同じ機能の説明は省略する。
【００７２】
優先度決定部ｂ３１６は、セル情報記憶部ｂ１１５から読み出したセル情報に基づいて、ある周波数でＣＳＧセル、又は、ハイブリッドセル（ＣＳＧ方式）の受信レベルが最も高いか否かを判定する。ある周波数でＣＳＧセルの受信レベルが最も高いと判定したとき、優先度決定部ｂ３１６は、ＣＳＧセルが用いるサービス周波数のセル再選択優先度を最も高い値（「９」）に決定する。また、ある周波数でハイブリッドセル（ＣＳＧ方式）の受信レベルが最も高いと判定したとき、優先度決定部ｂ３１６は、ハイブリッドセル（ＣＳＧ方式）が用いるサービス周波数のセル再選択優先度を次に高い値（「８」）に決定する。
なお、本実施形態では、ある周波数で受信レベルが最も高いＣＳＧセル及びハイブリッドセル（ＣＳＧ方式）のセル再選択優先度を、それぞれ「９」「８」としているが、本発明はこれに限らず、ＣＳＧセルのセル再選択優先度が、ハイブリッドセル（ＣＳＧ方式）のセル再選択優先度より大きな値であればよい。
【００７３】
また、優先度決定部ｂ３１６は、セル情報記憶部ｂ１１５から読み出したセル情報に基づいて、在圏セルがＣＳＧ、又は、ハイブリッドセル（ＣＳＧ方式）であるか否かを判定する。在圏セルがＣＳＧであると判定した場合、優先度決定部ｂ３１６は、そのセルが用いるサービス周波数のセル再選択優先度を最も高い値（「９」）に決定する。一方、在圏セルがハイブリッドセル（ＣＳＧ方式）であると判定した場合、優先度決定部ｂ３１６は、そのセルが用いるサービス周波数のセル再選択優先度を次に高い値（「８」）に決定する。
優先度決定部ｂ３１６は、決定したセル再選択優先度で、優先度記憶部ｂ１１７が記憶する優先度情報のセル再選択優先度を更新する。
【００７４】
＜移動局装置ｂ３が記憶する情報について＞
図１４は、本実施形態に係る優先度情報テーブルの一例を示す概略図である。図示するように優先度情報テーブルには、サービス周波数毎にセル再選択優先度が格納されることを示す。
例えば、図１４のサービス周波数「Ｃｈ０４」は、セル再選択優先度が「５」であることを示す。
【００７５】
図１５は、本実施形態に係るセル情報テーブルの一例を示す概略図である。図示するようにセル情報テーブルは、セルＩＤ、セル種別、サービス周波数、ＣＳＧ識別子、サービス種別、受信レベルの各項目の列を有している。
例えば、図１５のセルＣ７は、サービス周波数「Ｃｈ０４」で運用される「ハイブリッド」セルで、移動局装置にＣＳＧセルの接続サービスが提供されるセルであることを示す。また、セルＣ９は、サービス周波数「Ｃｈ０５」で運用される「ＣＳＧ」セルであることを示す。
【００７６】
図１６は、本実施形態に係る優先度情報テーブルの別の一例を示す概略図である。この図は、図１４の例の優先度情報テーブル、図１５の例のセル情報テーブルの場合に、優先度決定部ｂ３１６がセル再選択優先度を更新した後の優先度情報テーブルを示す。図１６に図示するように優先度情報テーブルには、サービス周波数毎にセル再選択優先度が格納されている。
図１６と図１４とを比較すると、サービス周波数「Ｃｈ０４」のセル再選択優先度が「５」（図１４）から「８」（図１６）に更新されている点、及び、サービス周波数「Ｃｈ０５」のセル再選択優先度が「４」（図１４）から「９」（図１６）に更新されている点が異なる。つまり、図１６は、優先度決定部ｂ３１６が、セル種別が「ＣＳＧ」のセルＣ９がサービス周波数「Ｃｈ０５」で最も受信レベルが高いセルであると判定し、セル再選択優先度を、最も高い値（「９」）に決定し、また、セル種別が「ハイブリッド」でサービス種別が「ＣＳＧ」のセルＣ７がサービス周波数「Ｃｈ０４」で最も受信レベルが高いセルであると判定し、セル再選択優先度を、次に高い値（「８」）に決定し、決定した値で、優先度情報テーブルのセル再選択優先度を更新したことを示す。
ここでは説明をわかりやすくするために「Ｃｈ０４」のセル再選択優先度が「５」から「８」に更新されるものとして説明したが、セルＣ７に在圏している時点でサービス周波数「Ｃｈ０４」の優先度は「８」に更新されてもよい。
【００７７】
＜移動局装置ｂ３の動作について＞
図１７は、本実施形態に係る移動局装置ｂ３の動作を示すフロー図である。本実施形態に係る移動局装置ｂ３の動作（図１７）と第１の実施形態に係る移動局装置ｂ１の動作（図７）とを比較すると、ステップＳ３０７、ステップＳ３０９の処理が異なる。しかし、他の処理（ステップＳ１０１〜Ｓ１０６、Ｓ１０８、Ｓ１１０〜Ｓ１１３）は第１の実施形態と同じである。第１の実施形態と同じ処理の説明は省略する。
【００７８】
（ステップＳ３０７）移動局装置ｂ３は、ＣＳＧ識別子がＣＳＧ許可リストに含まれるとステップＳ１０６で判定したセルのセル再選択優先度を「８」で更新する。つまり、移動局装置ｂ３は、ステップＳ３０９で更新するＣＳＧセルのセル再選択優先度「９」より、小さな値で更新する。その後、ステップＳ１１０に進む。
【００７９】
（ステップＳ３０９）移動局装置ｂ３は、セル種別がＣＳＧセルであるとステップＳ１０８で判定したセルのセル再選択優先度を最も高い値「９」で更新する。つまり、移動局装置ｂ３は、ステップＳ３０７で更新するハイブリッドセル（ＣＳＧセル方式）のセル再選択優先度「８」より、大きな値で更新する。その後、ステップＳ１１０に進む。
【００８０】
このように、本実施形態によれば、移動局装置ｂ３は、接続している基地局装置Ａ４であってＣＳＧセルの接続サービスの提供を受けている基地局装置Ａ４が用いる前記周波数帯域毎の優先度を、ＣＳＧセルの基地局装置Ａ５がそのサービス周波数で最も受信レベルが高かった場合に使用する優先度より低い優先度に決定する。これにより、移動局装置ｂ３は、サービス品質が高いＣＳＧセルを、在圏するハイブリッドセルより高い優先度で評価し、つまり、第１の実施形態での（Ａ１）の場合の処理を行うことができ、ハイブリッドセルより高いサービス品質のＣＳＧセルを優先して接続することができる。
【００８１】
＜変形例＞
なお、上記第３の実施形態において、ＣＳＧセルのセル再選択優先度をハイブリッドセル（ＣＳＧ方式）のセル再選択優先度より大きな値としたが、本変形例に係る移動局装置ｂ３では、ＣＳＧセルのセル再選択優先度とハイブリッドセル（ＣＳＧ方式）のセル再選択優先度とを、同じ値とする。この場合、セル再選択評価部ｂ１１９は、第１の実施形態での（Ａ２）の場合の処理を行う。よって、本変形例に係る移動局装置ｂ３は、評価セルの受信レベルと在圏セルの受信レベルとを比較して、接続するセルを選択することができる。
【００８２】
図１８は、本実施形態の変形例に係る優先度情報テーブルの一例を示す概略図である。この図は、図１４の例の優先度情報テーブル、図１５の例のセル情報テーブルの場合に、本変形例に係る移動局装置ｂ３がセル再選択優先度を更新した後の優先度情報テーブルを示す。ここで、セルＣ７はセル種別が「ハイブリッド」でサービス種別が「ＣＳＧ」であり、セルＣ９はセル種別が「ＣＳＧ」である。図１８に図示するように優先度情報テーブルには、サービス周波数毎にセル再選択優先度が格納されている。
図１８と図１４とを比較すると、サービス周波数「Ｃｈ０４」のセル再選択優先度が「５」（図１４）から「８」（図１８）に更新されている点、及び、サービス周波数「Ｃｈ０５」のセル再選択優先度が「４」（図１４）から「８」（図１８）に更新されている点が異なる。つまり、図１８は、本変形例に係る移動局装置ｂ３が、セル種別が「ＣＳＧ」のセルＣ９のセル再選択優先度、及び、セル種別が「ハイブリッド」でサービス種別が「ＣＳＧ」のセルＣ７のセル再選択優先度を、同じ値（「８」）に決定したことを示す。
【００８３】
なお、上記第３の実施形態において、移動局装置ｂ３は、在圏セルがハイブリッドセル（ＣＳＧ方式）であり、評価セルがＣＳＧセルである場合のみ、在圏セルのセル再選択優先度を、評価セルのセル再選択優先度より低い値としてもよい。
なお、上記各実施形態において、優先度決定部ｂ１１６、ｂ２１６、ｂ３１６は、セル再選択優先度を、通常設定される範囲（「０」〜「７」）より高い値（「８」又は「９」）を設定した。これにより、移動局装置ｂ１〜ｂ３は、通常（ＬＴＥ）のセル再選択優先度でのセル再選択評価より、優先度決定部ｂ１１６、ｂ２１６、ｂ３１６が更新したセル再選択優先度でのセル再選択評価を優先して行うことができる。
【００８４】
なお、上述した実施形態における基地局装置ａ１、ａ２、移動局装置ｂ１、ａ２、ａ３の一部、例えば、システム情報生成部ａ１０１、制御部ａ１０３、無線送信部ａ１０５、無線受信部ａ１１２、認証部ａ１１３、無線受信部ｂ１０２、制御部ｂ１０３、無線受信部ｂ１２２、受信レベル検出部ｂ１１１、セル種別判定部ｂ１１２、サービス種別決定部ｂ１１４、優先度決定部ｂ１１６、ｂ２１６、ｂ３１６、セル再選択評価部ｂ１１９、及び優先度制御情報生成部ａ２０７をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置ａ１、ａ２、移動局装置ｂ１、ａ２、ａ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８６】
本発明は、通信システム、移動局装置、及び基地局装置において用いて好適であり、品質が高いサービスを提供するセルの基地局装置に接続することができる。
【符号の説明】
【００８７】
ａ１０１・・・システム情報生成部、ａ１０２・・・ＣＳＧユーザ情報記憶部、ａ１０３・・・制御部、ａ１０４・・・受信部、ａ１０５・・・無線送信部、ａ１０６・・・送信アンテナ、ａ１１１・・・受信アンテナ、ａ１１２・・・無線受信部、ａ１１３・・・認証部、ａ１１４・・・送信部、ｂ１０１・・・受信アンテナ、ｂ１０２・・・無線受信部、ｂ１０３・・・制御部、ｂ１０４・・・出力部、Ｓ１・・・セルサーチ部、ｂ１２１・・・入力部、ｂ１２２・・・無線受信部、ｂ１２３・・・送信アンテナ、ｂ１１１・・・受信レベル検出部、ｂ１１２・・・セル種別判定部、ｂ１１３・・・ＣＳＧ許可リスト記憶部、ｂ１１４・・・サービス種別決定部、ｂ１１５・・・セル情報記憶部、ｂ１１６、ｂ２１６、ｂ３１６・・・優先度決定部、ｂ１１７・・・優先度記憶部、ｂ１１８・・・閾値記憶部、ｂ１１９・・・セル再選択評価部（選択評価部）、ａ２０７・・・優先度制御情報生成部
【図１】
0005585893.tif 000002
【図２】
0005585893.tif 000003
【図３】
0005585893.tif 000004
【図４】
0005585893.tif 000005
【図５】
0005585893.tif 000006
【図６】
0005585893.tif 000007
【図７】
0005585893.tif 000008
【図８】
0005585893.tif 000009
【図９】
0005585893.tif 000010
【図１０】
0005585893.tif 000011
【図１１】
0005585893.tif 000012
【図１２】
0005585893.tif 000013
【図１３】
0005585893.tif 000014
【図１４】
0005585893.tif 000015
【図１５】
0005585893.tif 000016
【図１６】
0005585893.tif 000017
【図１７】
0005585893.tif 000018
【図１８】
0005585893.tif 000019